(57)【要約】【課題】受聴者が有している外耳、内耳の物理特性や知覚特性に合わせた最適な伝達特性を把握して、左右再生バランスのとれた音声再生環境を提供する。【解決手段】音源部１は、左右の同一又は異なる再生信号を補正処理部２に対して出力するものである。補正処理部２は、受聴者からの入力に従って、この左右の再生信号に左右の時間差、左右の音圧レベル等の処理を行う部分である。また、音声出力部３は、補正処理部２によって処理された信号を音声として出力するものであり、具体的には、ヘッドホンやイヤホンの左右スピーカを構成する。補正処理部２の時間差調整処理部１２において左右の時間遅延差を算出し、帯域別時間差調整処理部１４において上記の処理を帯域別に分けて調整し、音圧レベル調整処理部１３において、左右の音圧レベル差を算出し、帯域別音圧レベル調整処理部１５において、左右の音圧レベル差を帯域ごとに分けて調整する。【選択図】図１
2006135489.tif 000002
【特許請求の範囲】
【請求項１】
音源部から出力される音声信号に対して所定の処理を施すことによって、受聴者のヘッドホンの装着位置、外耳及び内耳の物理特性又は知覚特性に対応した左右再生バランスを実現する再生バランス調整方法であって、
左右再生バランス調整用の音声信号を出力する処理と、
前記調整用の音声信号と、受聴者における当該音声信号の帯域ごとの左右音圧レベル差に対する修正指示とに基づいて、受聴者に対応した帯域ごとの左右音圧レベル差をパラメータとして検出する帯域別音圧レベル調整処理と、をコンピュータが実行することを特徴とする再生バランス調整方法。
【請求項２】
前記調整用の音声信号として左右無相関のノイズを用いることを特徴とする請求項１記載の再生バランス調整方法。
【請求項３】
前記調整用の音声信号と、受聴者における当該音声信号の左右時間差に対する修正指示とに基づいて、受聴者に対応した左右時間差をパラメータとして検出する時間差調整処理を含むことを特徴とする請求項１又は２記載の再生バランス調整方法。
【請求項４】
前記調整用の音声信号として左右同一振幅同位相のノイズを用いることを特徴とする請求項３記載の再生バランス調整方法。
【請求項５】
前記調整用の音声信号と、受聴者における当該音声信号の左右音圧レベル差に対する修正指示とに基づいて、受聴者に対応した左右音圧レベル差をパラメータとして検出する音圧レベル調整処理を含むことを特徴とする請求項１乃至４のいずれか１項に記載の再生バランス調整方法。
【請求項６】
前記調整用の音声信号として左右無相関のノイズを用いることを特徴とする請求項５記載の再生バランス調整方法。
【請求項７】
前記調整用の音声信号と、受聴者における当該音声信号の帯域ごとの左右時間差の修正指示とに基づいて、受聴者に対応した帯域ごとの左右時間差をパラメータとして検出する帯域別時間差調整処理を含むことを特徴とする請求項１乃至６のいずれか１項に記載の再生バランス調整方法。
【請求項８】
前記調整用の音声信号として左右同一振幅同位相のノイズを用いることを特徴とする請求項７記載の再生バランス調整方法。
【請求項９】
コンピュータを制御することにより、音源部から出力される音声信号に対して所定の処理を施すことによって、受聴者のヘッドホンの装着位置、外耳及び内耳の物理特性又は知覚特性に対応した左右再生バランスを実現する再生バランス調整プログラムであって、
左右再生バランス調整用の音声信号を出力させ、
前記調整用の音声信号と、受聴者における当該音声信号の帯域ごとの左右音圧レベル差に対する修正指示とに基づいて、受聴者に対応した帯域ごとの左右音圧レベル差をパラメータとして検出させることを特徴とする再生バランス調整プログラム。
【請求項１０】
前記調整用の音声信号として左右無相関のノイズを用いることを特徴とする請求項９記載の再生バランス調整プログラム。
【請求項１１】
前記調整用の音声信号と、受聴者における当該音声信号の左右時間差に対する修正指示とに基づいて、受聴者に対応した左右時間差をパラメータとして検出させることを特徴とする請求項９又は１０記載の再生バランス調整プログラム。
【請求項１２】
前記調整用の音声信号として左右同一振幅同位相のノイズを用いることを特徴とする請求項１１記載の再生バランス調整プログラム。
【請求項１３】
前記調整用の音声信号と、受聴者における当該音声信号の左右音圧レベル差に対する修正指示とに基づいて、受聴者に対応した左右音圧レベル差をパラメータとして検出させることを特徴とする請求項９乃至１２のいずれか１項に記載の左右バランス調整プログラム。、
【請求項１４】
前記調整用の音声信号として左右無相関のノイズを用いることを特徴とする請求項１３記載の再生バランス調整プログラム。
【請求項１５】
前記調整用の音声信号と、受聴者における当該音声信号の帯域ごとの左右時間差に対する修正指示とに基づいて、受聴者に対応した帯域ごとの左右時間差をパラメータとして検出させることを特徴とする請求項９乃至１４のいずれか１項に記載の再生バランス調整プログラム。
【請求項１６】
前記調整用の音声信号として左右同一振幅同位相のノイズを用いることを特徴とする請求項１５記載の再生バランス調整プログラム。
【請求項１７】
音源部から出力される音声信号に対して複数の処理を施す各処理部を備え、この処理部の処理によって、受聴者のヘッドホンの装着位置、外耳及び内耳の物理特性又は知覚特性に対応した左右再生バランスを実現する再生バランス調整装置であって、
左右再生バランス調整用の音声信号を出力する音源部と、
前記調整用の音声信号と、受聴者における当該音声信号の帯域ごとの左右音圧レベル差に対する修正指示とに基づいて、受聴者に対応した帯域ごとの左右音圧レベル差をパラメータとして検出する帯域別音圧レベル調整部と、を備えることを特徴とする再生バランス調整装置。
【請求項１８】
前記音源部は、前記調整用の音声信号として左右無相関のノイズを出力し、
前記帯域別音圧レベル調整部は、前記左右無相関のノイズを用いることを特徴とする請求項１７記載の再生バランス調整装置。
【請求項１９】
前記調整用の音声信号と、受聴者における当該音声信号の左右時間差に対する修正指示とに基づいて、受聴者に対応した左右時間差をパラメータとして検出する時間差調整部を備えることを特徴とする請求項１７又は１８再生バランス調整装置。
【請求項２０】
前記音源部は、前記調整用の音声信号として左右同一振幅同位相のノイズを出力し、
前記時間差調整部は、前記左右同一振幅同位相のノイズに基づいて処理することを特徴とする請求項１９記載の再生バランス調整装置。
【請求項２１】
前記調整用の音声信号と、受聴者における当該音声信号の左右音圧レベルに対する修正指示とに基づいて、受聴者に対応した左右音圧レベル差をパラメータとして検出する音圧レベル調整部を備えることを特徴とする請求項１７乃至２０のいずれか１項に記載の再生バランス調整装置。
【請求項２２】
前記音源部は、前記調整用の音声信号として左右無相関のノイズを出力し、
前記音圧レベル調整部は、前記左右無相関のノイズを用いることを特徴とする請求項２１記載の再生バランス調整装置。
【請求項２３】
前記調整用の音声信号と、受聴者における当該音声信号の帯域ごとの左右時間差に対する修正指示とに基づいて、受聴者に対応した帯域ごとの左右時間差をパラメータとして検出する帯域別時間差調整部を備えることを特徴とする請求項１７乃至２２のいずれか１項に記載の再生バランス調整装置。
【請求項２４】
前記音源部は、前記調整用の音声信号として左右同一振幅同位相のノイズを出力し、
前記帯域別時間差調整部は、前記左右同一振幅同位相のノイズを用いることを特徴とする請求項２３記載の再生バランス調整装置。
【発明の詳細な説明】
【技術分野】
【０００１】
本発明は、ヘッドフォン装着時における受聴者の左右の装着状態の差異または聴覚特性等によって生じる左右の音響再生バランスを把握し、補正する技術に関する。
【背景技術】
【０００２】
ヘッドフォンやイヤホンは、左右スピーカを両耳に対して左右対称に装着することが理想であるが、現実的には左右それぞれがアンバランスな状態で装着される。したがって、ヘッドフォン装着時の状態によって左右の再生環境が異なる状態が発生する。
【０００３】
また、受聴音は個々人でそれぞれ聴覚特性が異なる。すなわち、受聴者はそれぞれ外耳又は内耳の形状、大きさ等が異なるから、これに起因して生じる聴覚特性には個人差がある。これによって、例えば外形的にはヘッドフォンが理想的な状態で装着されたとしても、受聴者は左右がアンバランスな音声として知覚する場合があり、逆に左右アンバランスな音声でもバランスのとれたものとして知覚する場合もある。
【０００４】
特に、近年のデジタルコンテンツには、複数の音響信号が収録されたものが多く、こうした複数の音響信号を再生することにより、音の把握される方向や音の移動等を感じさせるように音像を定位させる立体音再生装置においては、この左右のアンバランスにより、正確な音像定位を行うことが難しい。
【０００５】
このような左右の受聴レベルのアンバランスを解消するものとして、ヘッドホン再生時において、左右スピーカから流れる音圧レベルを調整するものがある（下記特許文献１）。また、スピーカより発せられる再生音をマイクで拾って帯域別信号レベルとオーディオ機器から出力されるオーディオソース信号の帯域別信号レベルを求め、これに基づく周波数特性カーブの相対差を打ち消すように音場補正を行うことで、ソースを忠実に再生する音場補正装置がある（下記特許文献２）。
【特許文献１】特開平１１−１２２０６０号公報
【特許文献２】特開平５−１８４０００号公報
【発明の開示】
【発明が解決しようとする課題】
【０００６】
ところで、上記特許文献１はその発明の目的から左右スピーカの音圧レベルを調整するに過ぎないが、実際にはヘッドホンの装着状態及び受聴者の外耳又は内耳の形状によって、音声の到達する時間差が異なり、また周波数ごとに左右の聞こえ方が異なるため、単に音圧レベルを補正するだけでは、左右のアンバランスを解消することはできなかった。
【０００７】
また、特許文献２では再生音を帯域ごとの音圧レベルの補正は行うものの、マイクによって再生音を拾うこととしているため、仮に受聴者を模擬したダミーヘッドで左右の耳の鼓膜に当たる箇所にマイクを設けて集音したとしても、受聴者個々の外耳、内耳の形状等に基づく伝達特性までを考慮することは不可能であった。したがって、この場合もやはり左右のアンバランスを解消し、受聴者に対して左右音声信号による正確な音像の定位を実現することは不可能であった。
【０００８】
本発明は、上記のような従来の問題点を解決するために提案されたものであり、その目的は、受聴者個々人が有している外耳、内耳の物理特性や、知覚特性に合わせた最適な伝達特性を把握して、左右再生バランスのとれた音声再生環境を提供することのできる再生バランス調整方法、プログラム及び再生バランス調整装置を提供することにある。
【課題を解決するための手段】
【０００９】
上記の目的を達成するため、請求項１の発明は、音源部から出力される音声信号に対して所定の処理を施すことによって、受聴者のヘッドホンの装着位置、外耳及び内耳の物理特性又は知覚特性に対応した左右再生バランスを実現する再生バランス調整方法であって、左右再生バランス調整用の音声信号を出力する処理と、前記調整用の音声信号と、受聴者における当該音声信号の帯域ごとの左右音圧レベル差に対する修正指示とに基づいて、受聴者に対応した帯域ごとの左右音圧レベル差をパラメータとして検出する帯域別音圧レベル調整処理と、をコンピュータが実行することを特徴とする。
【００１０】
請求項９の発明は、請求項１の発明をコンピュータのプログラムという見方から捉えたもので、コンピュータを制御することにより、音源部から出力される音声信号に対して所定の処理を施すことによって、受聴者のヘッドホンの装着位置、外耳及び内耳の物理特性又は知覚特性に対応した左右再生バランスを実現する再生バランス調整プログラムであって、左右再生バランス調整用の音声信号を出力させ、前記調整用の音声信号と、受聴者における当該音声信号の帯域ごとの左右音圧レベル差に対する修正指示とに基づいて、受聴者に対応した帯域ごとの左右音圧レベル差をパラメータとして検出させることを特徴とする。
【００１１】
請求項１７の発明は、請求項１又は９の発明を装置の発明として規定したもので、音源部から出力される音声信号に対して複数の処理を施す各処理部を備え、この処理部の処理によって、受聴者のヘッドホンの装着位置、外耳及び内耳の物理特性又は知覚特性に対応した左右再生バランスを実現する再生バランス調整装置であって、左右再生バランス調整用の音声信号を出力する音源部と、前記調整用の音声信号と、受聴者における当該音声信号の帯域ごとの左右音圧レベル差に対する修正指示とに基づいて、受聴者に対応した帯域ごとの左右音圧レベル差をパラメータとして検出する帯域別音圧レベル調整部と、を備えることを特徴とする。
【００１２】
これらの態様では、受聴者がヘッドフォンを装着した状態において、音声信号を周波数帯域にわけ、それぞれの帯域における受聴者の左右の耳における物理特性や知覚特性を把握した上で、周波数ごとの音圧レベルを設定することが可能であるから、受聴者個々人のヘッドホンの装着位置あるいは受聴者の外耳又は内耳の物理特性や受聴者の知覚特性に合わせた最適な伝達特性を実現し、左右再生バランスのとれた音声再生環境を提供することができる。
【００１３】
また、ヘッドフォンの装着状態は、同一のヘッドフォンを使用する限り大きく異なることはないから、利用するヘッドフォンを特定した場合の調整データを求め、これを処理データ記憶部に記憶しておくことによって、他のさまざま音楽メディアを再生する際にも、その受聴者に最適な再生環境を提供することが可能となる。
【００１４】
請求項２又は１０の発明は、請求項１又は９の発明において、前記調整用の音声信号として左右無相関のノイズを用いることを特徴とする。
請求項１８の発明は、請求項２の発明を装置の発明として規定したもので、請求項１７の発明において、前記音源部は、前記調整用の音声信号として左右無相関のノイズを出力し、前記帯域別音圧レベル調整部は、前記左右無相関のノイズを用いることを特徴とする。
【００１５】
これらの態様では、帯域別音圧レベル調整において、左右無相関ノイズを用いるため、左右全く独立な音声を聴取でき、左右の音圧レベル差の知覚を容易に行うことができる。
【００１６】
請求項３の発明は、請求項１又は２記載の発明において、前記調整用の音声信号と、受聴者における当該音声信号の左右時間差に対する修正指示とに基づいて、受聴者に対応した左右時間差をパラメータとして検出する時間差調整処理を含むことを特徴とする。
【００１７】
請求項１１の発明は、請求項３の発明をコンピュータのプログラムという見方から捉えたもので、請求項９又は１０記載の発明において、前記調整用の音声信号と、受聴者における当該音声信号の左右時間差に対する修正指示とに基づいて、受聴者に対応した左右時間差をパラメータとして検出させることを特徴とする。
【００１８】
請求項１９の発明は、請求項３及び１１の発明を装置の発明として規定したもので、請求項１７又は１８記載の発明において、前記調整用の音声信号と、受聴者における当該音声信号の左右時間差に対する修正指示とに基づいて、受聴者に対応した左右時間差をパラメータとして検出する時間差調整部を備えることを特徴とする。
【００１９】
これらの態様では、受聴者がヘッドフォンを装着した状態において、上記の周波数ごとの音圧レベルの調整に加えて、左右時間差を調整することができる。したがって、例えば、受聴者がヘッドフォンを装着した状態において、音源からの左右音声信号を再生すると、左右バランスが同一であれば、受聴者の真ん中に音像が定位するが、左右のバランスが同一でなければ、右あるいは左側に音像が偏って定位することとなる。そこで、これを調整することによって、さらに受聴者個々人のヘッドホンの装着位置あるいは受聴者の外耳又は内耳の物理特性や受聴者の知覚特性に合わせた最適な伝達特性を実現し、左右再生バランスのとれた音声再生環境を提供することができる。
【００２０】
請求項４又は請求項１２の発明は、請求項３又は請求項１１記載の発明において、前記調整用の音声信号として左右同一振幅同位相のノイズを用いることを特徴とする。
また、請求項２０の発明は、請求項４又は１２の発明を装置の発明として規定したものであって、請求項１９の発明において、前記音源部は、前記調整用の音声信号として左右同一振幅同位相のノイズを出力し、前記時間差調整部は、前記左右同一振幅同位相のノイズに基づいて処理することを特徴とする。
【００２１】
これらの態様では、時間調整処理において左右同一振幅同位相のノイズを用いるため、通常の音楽等を調整用音声として用いるよりも、左右位相差を知覚し易く、より正確な時間差調整が可能となる。
【００２２】
請求項５の発明は、請求項１乃至４のいずれか１項に記載の発明において、前記調整用の音声信号と、受聴者における当該音声信号の左右音圧レベル差に対する修正指示とに基づいて、受聴者に対応した左右音圧レベル差をパラメータとして検出する音圧レベル調整処理を含むことを特徴とする。
【００２３】
請求項１３の発明は、請求項５の発明をコンピュータのプログラムという見方から捉えたもので、請求項９乃至１２のいずれか１項に記載の発明において、前記調整用の音声信号と、受聴者における当該音声信号の左右音圧レベル差に対する修正指示とに基づいて、受聴者に対応した左右音圧レベル差をパラメータとして検出させることを特徴とする。
【００２４】
請求項２１の発明は、請求項５又は１３の発明を装置として規定したものであって、請求項１７乃至２０のいずれか１項に記載の発明において、前記調整用の音声信号と、受聴者における当該音声信号の左右音圧レベルに対する修正指示とに基づいて、受聴者に対応した左右音圧レベル差をパラメータとして検出する音圧レベル調整部を備えることを特徴とする。
【００２５】
これらの態様では、受聴者がヘッドフォンを装着した状態において、上記の周波数ごとの音圧レベルの調整に加えて、全体として音圧レベルの調整をすることができる。したがって、例えば、受聴者の外耳あるいは内耳の左右形状の差異によって、左右の信号レベルに差異が生じる場合があるが、このような場合には右あるいは左側に音像が偏って定位する。そこで、左右の信号レベルに強弱を施し、受聴者の真ん中に音像が定位する位置に信号が受聴できるよう信号レベルを調整し、受聴者が知覚する左右の音圧レベル量を同定する。これにより、受聴者個々人のヘッドホンの装着位置あるいは受聴者の外耳又は内耳の物理特性や受聴者の知覚特性に合わせた最適な伝達特性を実現し、左右再生バランスのとれた音声再生環境を提供することができるようになる。
【００２６】
請求項６又は１４の発明は、請求項５又は１３の発明において、前記調整用の音声信号として左右無相関のノイズを用いることを特徴とする。
請求項２２の発明は、請求項６又は１４の発明を装置として規定したものであって、請求項２１記載の発明において、前記音源部は、前記調整用の音声信号として左右無相関のノイズを出力し、前記音圧レベル調整部は、前記左右無相関のノイズを用いることを特徴とする。
【００２７】
これらの態様では、音圧レベル調整において、左右無相関ノイズを用いるため、左右全く独立な音声を聴取でき、左右の音圧レベル差の知覚を容易に行うことができる。
【００２８】
請求項７の発明は、請求項１乃至６のいずれか１項に記載の発明において、前記調整用の音声信号と、受聴者における当該音声信号の帯域ごとの左右時間差の修正指示とに基づいて、受聴者に対応した帯域ごとの左右時間差をパラメータとして検出する帯域別時間差調整処理を含むことを特徴とする。
【００２９】
請求項１５の発明は、請求項７の発明をコンピュータプログラムの観点から規定したものであって、請求項９乃至１４のいずれか１項に記載の発明において、前記調整用の音声信号と、受聴者における当該音声信号の帯域ごとの左右時間差に対する修正指示とに基づいて、受聴者に対応した帯域ごとの左右時間差をパラメータとして検出させることを特徴とする。
【００３０】
請求項２３の発明は、請求項７又は請求項１５の発明を装置の観点から規定したものであって、請求項１７乃至２２のいずれか１項に記載の発明において、前記調整用の音声信号と、受聴者における当該音声信号の帯域ごとの左右時間差に対する修正指示とに基づいて、受聴者に対応した帯域ごとの左右時間差をパラメータとして検出する帯域別時間差調整部を備えることを特徴とする。
【００３１】
これらの態様では、音声信号を周波数帯域に分割し、それぞれの帯域における受聴者の左右の外耳又は内耳の物理特性や知覚特性を把握した上で、時間遅延量を設定することが可能である。
【００３２】
請求項８又は１６の発明は、請求項７又は１５の発明において、前記調整用の音声信号として左右同一振幅同位相のノイズを用いることを特徴とする。
請求項２４の発明は、請求項８又は１６の発明を装置として規定したものであり、請求項２３に記載の発明において、前記音源部は、前記調整用の音声信号として左右同一振幅同位相のノイズを出力し、前記帯域別時間差調整部は、前記左右同一振幅同位相のノイズを用いることを特徴とする。
【００３３】
これらの態様では、時間調整処理において左右同一振幅同位相のノイズを用いるため、通常の音楽等を調整用音声として用いるよりも、左右位相差を知覚し易く、より正確な時間差調整が可能となる。
【発明の効果】
【００３４】
以上のような本発明によれば、受聴者個々人が有している外耳、内耳の物理特性や、知覚特性に合わせた最適な伝達特性を把握して、左右再生バランスのとれた音声再生環境を提供することができる。
【発明を実施するための最良の形態】
【００３５】
次に、本発明の補正処理装置（以下「本装置」と呼ぶ）、対応する補正処理方法及びプログラムを実施するための最良の実施形態について、図を参照して説明する。なお、すでに説明した従来の技術と共通の前提事項は再言しない。
【００３６】
［１．本実施形態の概要］
まず、本実施形態の処理を最も簡単に説明すると、図２に示すとおり、音源部１から左右異なる音声信号Ａ及びＢが、本実施形態の補正処理部２に対して入力されると、受聴者に応じた左右の伝達特性、すなわち左右の音圧レベルの相違、左右音声到達時間の遅延差及び周波数帯域別の音圧レベルの相違を測定、記憶し、これを伝達特性の制御パラメータαとして、入力された音声信号Ａ、Ｂにそれぞれに反映して音声信号Ａ’、Ｂ’として左右スピーカより出力するものである。すなわち、Ａ’＝Ａ＋α，Ｂ’＝Ｂ−αとして、時間遅延調整、音圧レベル調整及び帯域別音圧レベル調整によって左右の出力バランスを調整する。
【００３７】
なお、上述の通り、出力信号Ａ’、Ｂ’の時間差、レベル差等に関する制御パラメータ「α」をＡ及びＢに加減し、相対的に調整を行うこととしているが、本発明ではこれに限らず、Ａ又はＢのいずれかを絶対値として、それに合わせるように制御パラメータをいずれかの信号に付加する「Ａ’＝Ａ＋αかつＢ’＝Ｂ」又は「Ａ’＝ＡかつＢ’＝Ｂ＋α」として定義することも可能である。このことは、以下の実施形態の例においても同様である。
【００３８】
［２．全体構成］
まず、本装置の全体構成を図１に示す。図１において、音源部１は、左右の同一又は異なる再生信号を補正処理部２に対して出力するものである。補正処理部２は、受聴者からの入力に従って、この左右の再生信号に左右の時間差、左右の音圧レベル等の処理を行う部分である。また、音声出力部３は、補正処理部２によって処理された信号を音声として出力するものであり、具体的には、ヘッドホンやイヤホンの左右スピーカを構成する。
【００３９】
また、表示部５は、時間差調整、音圧レベル調整等、所定の処理内容やメニューなどの情報を表示する部分で、例えばＴＦＴ液晶パネルなどで構成される。また、入力部６は、受聴者からの時間差調整、音圧レベル調整等の様々な命令や情報の入力を受け付ける部分で、例えば専用のスイッチ類やタッチパネル、あるいはマウス等のポインティングデバイスで構成される場合もある。本装置の必要最小限の入力部としては例えば、左右差調整スイッチを左右に２つと帯域切換スイッチを１つの計３つのスイッチからなるものが想定される。
【００４０】
ユーザインタフェース部４は、表示部５や入力部６と、補正処理部２とを結び信号の伝達、変換、タイミング制御などを行う部分である。また、処理データ記憶部７は、ハードディスク、ＤＶＤ−ＲＯＭ、ＣＤ−ＲＯＭなどのドライブで、補正処理部２によって処理される音声信号を読み取り、記憶する役割を果たす。
【００４１】
［３．補正処理部の構成及び処理］
補正処理部２は、システム全体の制御を司るメインＣＰＵ及びその周辺回路であり、プログラムにしたがって、以下の機能作用や処理を実現、実行する手段を備える。すなわち、時間差調整処理部１２は、左右の音声出力部３Ｒ、３Ｌから流れる音声に対して入力部６を介して入力される受聴者の左右時間差調整を受け付け、それに基づいて左右の時間遅延差を算出する手段である。
【００４２】
例えば、受聴者がヘッドフォンを装着した状態において、音源部１からの左右同一振幅同位相の信号を音声出力部３Ｒ、３Ｌから再生すると、左右バランスが同一であれば、受聴者の真ん中に音像が定位するが、左右のバランスが同一でなければ、右あるいは左側に音像が偏って定位する。そこで、時間差調整処理部１２において、受聴者が入力部６を通じて左右の偏りを検出し、これを制御パラメータとして算出する。そして、時間差調整処理部１２で算出された制御パラメータは、演算処理部１１において音源部１からの音声信号に付加され、さらに演算結果記憶部１６を介して演算結果記憶部１６に一次記憶される。なお、演算結果記憶部１６は、補正処理部２のＣＰＵのためのプログラム、ＣＰＵにより処理されるデータを格納したりする作業記憶領域である。
【００４３】
この場合、時間差調整処理部１２は、上述のように、左右から同一の音声信号を再生して受聴者の真ん中に音像が定位するか否かの調整を行う手法のほかに、正中線から右側見開き９０度の位置及び左側見開き９０度の位置に白色ノイズあるいはピンクノイズを交互に仮想再生し、これに基づいて受聴者が左右時間差を入力することによって時間差調整を行う手法もある。
【００４４】
また、帯域別時間差調整処理部１４は、上記の処理を帯域別に分けて調整する手段である。上述の時間差調整処理部１２において左右時間差を算出した場合、信号の全周波数帯域における時間差を調整することとなるが、受聴者の伝達特性は実際にはヘッドホンの装着状態、外耳あるいは内耳の形状によって、高域あるいは低域のそれぞれで時間差が異なり、また帯域ごとに左右の時間差も異なる。そこで、特定周波数帯域別に左右の時間差を算出し、左右の周波数特性バランスを調整する。
【００４５】
具体的には、音源部１からの音声信号を帯域ごとに分けて再生し、帯域別時間差調整処理部１４において受聴者が入力部６を通じて帯域ごとの左右の偏りを入力し、これらを制御パラメータとして算出する。そして、帯域別時間差調整処理部１４で算出された制御パラメータは、演算処理部１１において音源部１からの音声信号あるいは上記時間差調整処理部１２によって算出された制御パラメータの付加された音声信号に付加され、さらに演算結果記憶部１６を介して演算結果記憶部１６に一次記憶される。
【００４６】
音圧レベル調整処理部１３は、左右の音声出力部３Ｒ、３Ｌから流れる左右無相関な測定用ノイズに対して入力部６を介して入力される受聴者の左右音圧レベル差の調整を受け付け、それに基づいて左右の音圧レベル差を算出する手段である。時間遅延データの測定と同様に、受聴者の外耳あるいは内耳の左右形状の差異によって、左右の信号レベルに差異が生じる場合があるが、この場合には右あるいは左側に音像が偏って定位する。そこで、左右の信号レベルに強弱を施し、受聴者の真ん中に音像が定位する位置に信号が受聴できるよう信号レベルを調整し、受聴者が知覚する左右の音圧レベル量を同定する。
【００４７】
具体的には、上述の時間差調整処理部１２と同様、受聴者が入力部６を通じて左右の音圧レベルの偏りを入力し、これを制御パラメータとして算出する。そして、音圧レベル調整処理部１３で算出された制御パラメータは、演算処理部１１において音源部１からの音声信号あるいは上記時間差調整処理部１２によって算出された制御パラメータを付加した音声信号に付加され、演算結果記憶部１６を介して演算結果記憶部１６に一次記憶される。
【００４８】
帯域別音圧レベル調整処理部１５は、左右の音圧レベル差を帯域ごとに分けて調整する手段である。これには、左右無相関な測定用ノイズを帯域制限して再生し、その音圧レベルを求める方法がある。
【００４９】
上述の音圧レベル調整処理部１３において左右の信号レベルを調整した場合、信号の全周波数帯域においてのレベルに対して強弱を調整することとなるが、受聴者の伝達特性は実際にはヘッドホンの装着状態、外耳あるいは内耳の形状によって、高域あるいは低域のそれぞれで聞こえ方に差異が生じ、また帯域ごとに左右の聞こえ方も異なる。そこで、特定周波数帯域別に左右のレベル調整を行い、左右の周波数特性バランスを調整し、左右の各周波数帯域別レベルを同定する。
【００５０】
この場合も上記同様、受聴者が入力部６を通じて帯域ごとの左右の音圧レベルの偏りを入力し、これらを制御パラメータとして算出する。そして、帯域別音圧レベル調整処理部１５で算出された制御パラメータは、演算処理部１１において音源部１からの音声信号あるいは上記時間差調整処理部１２及び音圧レベル調整処理部１３によって算出された制御パラメータを付加した音声信号に付加され、演算結果記憶部１６を介して演算結果記憶部１６に一次記憶される。
【００５１】
［４．作用効果］
上記のような構成からなる本装置の作用について図３を用いて説明する。まず、受聴者による入力部６における時間差調整モードの指定及び音声出力の開始指示を受けると、音源部１から音声信号が出力される。すると、演算処理部１１を介して、音声出力部３Ｒ、３Ｌから処理のされていない音声が再生される。この音声出力部３Ｒ、３Ｌからは、まず左右同一振幅同位相にして同じ音圧レベルの白色ノイズが再生された後、正中線から右側見開き９０度の位置及び左側見開き９０度の位置に白色ノイズを交互に仮想再生される。受聴者はこれに基づいて、入力部６に設けられた左右差調整スイッチによって左右時間差調整を行う。
【００５２】
具体的には、音像が左に偏って定位していると判断した場合には、左右差調整スイッチの例えば「Ｒ」ボタンを指定する。この入力を受けて、時間差調整処理部１２は、演算処理部１１から入力される左右の音声信号である「Ａ」（右）及び「Ｂ」（左）に対して時間遅延量に関する所定の制御パラメータ「α」を加減して、「Ａ＋α」及び「Ｂ−α」を得る。これにより、音声信号「Ａ」を遅延させ、音声信号「Ｂ」をこの遅延量分早める。受聴者は、音像が真ん中に定位したと知覚するまで左右差調整スイッチのボタンを複数回指定し、指定があるごとに時間差調整処理部１２は、音声信号「Ａ」及び「Ｂ」に相対的な制御パラメータを加減し、左右遅延量を同定する。
【００５３】
受聴者が真ん中に音像が定位したと知覚し、決定指示を入力した場合には、演算処理部１１は、そのときの制御パラメータ「α」を音声信号「Ａ」及び「Ｂ」に対して加減し、左右遅延差が調整された音声信号「Ｃ」及び「Ｄ」を得る。
【００５４】
次に、受聴者は、入力部６から音圧レベル調整モードを選択し、音声出力の開始指示を受けると、同じ音圧レベルで無相関な白色ノイズが再生される。受聴者は、この白色ノイズを聴取しながら、左右の音圧レベルが均等となるように、入力部６に設けられた左右差調整スイッチによって左右レベルの調整を行う。具体的には、左の音声が大きい場合には、相対的に左のレベルを下げ右のレベルを上げるため、左右差調整スイッチの「Ｒ」ボタンを指定する。この入力を受けて、音圧レベル調整処理部１３は、演算処理部１１から入力される左右の音声信号である「Ｃ」（右）及び「Ｄ」（左）に対して、音圧レベルの制御パラメータ「β」を加減し、「Ｃ＋β」及び「Ｄ−β」を得る。この制御パラメータ「β」が加減されることにより、上記の例で言えば、相対的に左の音圧レベルが下がり、右の音圧レベルが上がることとなる。受聴者は、左右の音圧レベルが均等になるまで左右差調整スイッチの「Ｒ」又は「Ｌ」のいずれかのボタンを指定し、この指定のたびに音圧レベル調整処理部１３は、音声信号「Ｃ」及び「Ｄ」に所定のパラメータ「β」を加減する。
【００５５】
受聴者は、左右の音圧レベルが均等であると知覚し、当該バランスで決定指示を入力した場合には、演算処理部１１がそのときの制御パラメータ「β」を音声信号「Ｃ」及び「Ｄ」に加減し、左右の音圧レベルが均等となった音声信号「Ｅ」及び「Ｆ」を得る。
【００５６】
続いて、帯域別時間差調整処理部１４及び帯域別音圧レベル調整処理部１５において、帯域別の時間差調整及び音圧レベル調整を行うのであるが、処理の流れは概ね時間差調整処理部１２及び音圧レベル調整処理部１３と同様である。ただし、帯域別調整処理においては、音源部１の出力信号に帯域制限フィルタを処理して再生される。この場合、受聴者による開始指示の後、最も低い周波数帯域から時間差調整又は音圧レベル調整を行う。調整する周波数帯域数は任意であるが、本実施形態では、例えば１ＫＨｚを基準としたオクターブバンド別帯域とし、６３Ｈｚから１６ＫＨｚまでを９帯域に分割して、調整することを想定している。
【００５７】
受聴者は、帯域ごとに再生される白色ノイズを聴取して、入力部６に設けられた左右差調整スイッチを用いて上記の時間差調整処理及び音圧レベル調整処理を行い、帯域ごとに左右差が均等であると知覚した場合には、帯域切換スイッチを指定して、次に低い帯域の調整を行うようにする。
【００５８】
このような処理により、全帯域の時間差調整が終了した場合には、受聴者の決定指示により、帯域別時間差調整処理部１４は、制御パラメータγを左右の音声信号「Ｅ」（右）及び「Ｆ」（左）に加減し「Ｅ＋γ」及び「Ｆ−γ」を算出し、これに基づいて左右の音声信号「Ｇ」（右）及び「Ｈ」（左）を得る。さらにこれらの音声信号に基づいて全体域の音圧レベル調整が終了した場合には、受聴者の決定指示により、帯域別音圧レベル調整処理部１５は、制御パレメータεを左右の音声信号「Ｇ」及び「Ｈ」に加減し「Ｇ＋ε」及び「Ｈ−ε」を算出し、これに基づいて左右の音声信号「Ｉ」（右）及び「Ｊ」（左）を得る。
【００５９】
このようにして時間差調整、音圧レベル調整、帯域別時間差調整及び帯域別音圧レベル調整の各処理の結果得られた制御パラメータ「α」〜「ε」は、処理データ記憶部７に記憶されることとなる。そして、この記憶された処理データを呼び出すことによって、他の音楽メディアを再生する場合にも、当該左右時間差、左右音圧レベルの設定された状態に音声信号を処理して再生することが可能となる。
【００６０】
以上のように作用する本実施形態によれば、受聴者がヘッドフォンを装着した状態において、時間遅延調整、音圧レベル調整、帯域別時間差調整並びに帯域別音圧レベル調整の各処理を施すことにより、受聴者個々人のヘッドホンの装着位置あるいは受聴者の外耳又は内耳の物理特性や受聴者の知覚特性に合わせた最適な伝達特性を実現し、左右再生バランスのとれた音声再生環境を提供することができる。
【００６１】
特に、音声信号を周波数帯域にわけ、それぞれの帯域における受聴者の左右の耳における物理特性や知覚特性を把握した上で、音圧レベルあるいは左右時間差を設定することが可能である。
【００６２】
また、ヘッドフォンの装着状態は、同一のヘッドフォンを使用する限り大きく異なることはないから、利用するヘッドフォンを特定した場合の調整データを求め、これを処理データ記憶部７に記憶しておくことによって、他のさまざま音楽メディアを再生する際にも、その受聴者に最適な再生環境を提供することが可能となる。
【００６３】
また、時間調整処理又は帯域別時間調整処理において左右同一振幅同位相のノイズを用いるため、通常の音楽等を調整用音声として用いるよりも、左右位相差を知覚し易く、より正確な時間差調整が可能となる。さらに、音圧レベル調整又は帯域別音圧レベル調整においては、左右無相関ノイズを用いることにより、左右全く独立な音声を聴取できるから、左右の音圧レベル差の知覚を容易に行うことができる。
【００６４】
なお、上記実施形態では、音声信号の補正処理を時間差調整、音圧レベル調整、帯域別時間差調整、帯域別音圧レベル調整の順に行う態様を示したが、これらの補正処理手順は任意に変更可能であり、また、帯域別音圧レベル調整に他の各調整を任意に組み合わせることによって２つ又はそれ以上の処理を行う構成とすることもできる。
【００６５】
［５．実施例］
次に、上記実施形態における装置において実行されるプログラムの処理の具体例を図４〜図  に示す画面例を参照して説明する。
まず、プログラムを起動させると、図４（ａ）に示すような再生ファイル設定画面である「Ｆｉｌｅ  Ｌｏａｄｅｒ」画面が表示される。ここで、「Ｏｐｅｎ  ｆｉｌｅ」ボタンを指定すると、図５に示すようなファイル選択画面が表示されるので、ここでは「INOISE60sec.wav」ファイル（無相関な白色ノイズ連続再生用ファイル）を選択する。正しく選択されると画面は図４（ｂ）に示すように、「ＦＩＬＥＮＥＭＥ」欄に選択したファイル名が表示される。
【００６６】
「wavPlayer」ボタンを指定すると、図６に示すような詳細設定画面が表示される。この画面において、６１は時間差調整設定を表示し、６２は音圧レベル設定を表示し、また、６３は帯域別音圧レベル設定を表示し、６４は前記帯域別音圧レベル設定に連動したイコライザーを表示するメニューウィンドウである。
【００６７】
次に、図４（ａ）に示した「Ｆｉｌｅ  Ｌｏａｄｅｒ」画面において、「Ａｕｔｏ」ボタンを指定すると、図７（ａ）に示す補正処理画面である「Ａｕｔｏ  Ｍｅａｓｕｒｅｍｅｎｔ」画面が表示される。この画面において、「ＰｏｗｅｒＬｅｖｅｌ」タブは音圧レベル調整を行う画面であり、上記実施形態における音圧レベル調整処理部１３に処理を指示するための画面である。また、「Ｆｒｅｑｕｅｎｃｙ」タブは帯域別音圧レベル調整を行う画面であり、上記実施形態における帯域別音圧レベル調整処理部１５に処理を指示するための画面である。また、「Ｔｉｍｅ  ｄｅｌａｙ」タブは時間差調整を行う画面であり、上記実施形態における時間差調整処理部１２に処理を指示するための画面である。
【００６８】
なお、本実施例で示すプログラムでは、上記実施形態における帯域別時間差調整処理部１４に当たる調整機能を設けていない。また、各調整画面には、「＜＝＝」ボタンあるいは「＝＝＞」ボタンの左右差調整ボタン７１が設けられるとともに、各調整機能における調整値を決定するための「（Ｏ）」ボタン７２が設けられている。この決定ボタンによって、各機能で把握される調整値（制御パラメータ）が上記実施形態における演算結果記憶部１６に一時記憶される。
【００６９】
この画面には、上記のほか信号再生（ＰＬＡＹ）・停止（ＳＴＯＰ）の各ボタン、パラメータを処理データ記憶部７に記憶（ＳＡＶＥ）・読み出す（ＬＯＡＤ）各ボタン、信号処理スイッチ（ＥＱ  ｏｎ・ＥＱ  ｏｆｆ）の各ボタンが設けられている。
【００７０】
ここで、はじめに「ＰｏｗｅｒＬｅｖｅｌ」タブを選択し、音圧レベルの調整を行う。なお、本プログラムでは、「Ａｕｔｏ  Ｍｅａｓｕｒｅｍｅｎｔ」画面の選択を受聴者に要求することなく、起動時に「ＰｏｗｅｒＬｅｖｅｌ」タブが予め選択された状態とすることもできる。
【００７１】
まず、受聴者は、「ＰＬＡＹ」ボタンを押す。前記の通り、図４（ａ）の「Ｆｉｌｅ  Ｌｏａｄｅｒ」画面において「INOISE60sec．wav」ファイルが選択されているため、音声出力部３Ｒ、３Ｌより無相関ノイズが再生されることとなる。受聴者は、この再生音を聴取しながら、左右の音圧レベルが均等となるように、左右差調整ボタン７１Ｒ又は７１Ｌのいずれかを指定して音圧レベルを調整する。例えば、右耳に聞こえる音声が左耳より大きいと知覚した場合には、ボタン７１Ｌを指定することによって、相対的に音声出力部Ｌからの出力レベルを上げるとともに音声出力部Ｒからの出力レベルを下げることができる。
【００７２】
また、このとき左右差調整ボタン７１の指定具合に応じて、図６に示す詳細設定画面の音圧レベル設定６２のバーが上下に移動するため、受聴者は、音圧レベルが左右にどれだけの偏りを以って調整されているかを視認することができる。
【００７３】
このような左右の音圧レベルの調整の結果、受聴者が左右レベルが均等になったと知覚した場合には、決定ボタン７２を指定する。そうすると、音圧レベル調整処理部１３において左右レベル差に関する制御パラメータが音源部１から出力される左右の音声信号に加減され、その結果が演算結果記憶部１６に記憶されることとなる。
【００７４】
音圧レベル調整が完了したら、次に「Ｆｒｅｑｕｅｎｃｙ」タブを選択し、帯域別音圧レベル調整を行う。この設定画面を図７（ｂ）に示す。この設定画面には、調整する周波数帯域を変更する帯域切換スイッチ７３として「ＣＨＥＮＧＥ  ＢＡＮＤ」ボタンが設けられている。受聴者は、上記の左右差調整ボタン７１とこの帯域切換スイッチ７３を利用して、帯域別音圧レベル調整を行う。
【００７５】
より具体的には、受聴者は「Ａｕｔｏ  Ｍｅａｓｕｒｅｍｅｎｔ」画面（図７（ｂ）参照）の「ＰＬＡＹ」ボタンを指定すると、前記同様、音声出力部３Ｒ、３Ｌより無相関ノイズが再生される。受聴者はこの音声を聴取しながら、帯域ごとに左右音圧レベルの調整を行うのであるが、本プログラムでは設定周波数が１ＫＨｚを中心として６３Ｈｚ〜１６ＫＨｚまで９帯域に分けて設けられており、プログラム起動時には最も低い周波数である６３Ｈｚの調整を行えるように設定されている。そして、上記の音圧レベル調整と同様の手法によって、周波数帯域ごとの左右音圧レベルを左右差調整ボタン７１で調整し、一帯域の調整が完了した場合には帯域切換スイッチ７３を指定することによって一つ高い帯域に移動し、当該帯域の調整を行う。
【００７６】
また、このとき左右差調整ボタン７１による調整状況が図６（ａ）に示す詳細設定画面の６３は帯域別音圧レベル設定６３Ｌ、６３Ｒに左右帯域ごとに表示されるので、受聴者は現在どの帯域の調整を行っているかあるいは左右差がどのくらい生じているかを視認することができる（図６（ｂ））。また、この帯域別音圧レベルの調整に連動して、イコライザー６４の最大レベルを示すバーも変化するので、これによって、受聴者がいずれの帯域を調整しているかを視認することができる。
【００７７】
上記のような作業を繰り返し、全周波数帯域の音圧レベル調整を行い、完了した場合には、決定ボタン７２を指定する。そうすると、帯域別音圧レベル調整処理部１５において左右レベル差に関する制御パラメータが音源部１から出力される左右の音声信号に加減され、その結果が演算結果記憶部１６に記憶されることとなる。
【００７８】
帯域別音圧レベル調整が完了したら、次に「Ｔｉｍｅ  Ｄｅｌａｙ」タブを選択し、時間差調整を行う。この設定画面を図７（ｃ）に示す。この設定画面では、左右差調整ボタン７１を利用して、再生音の左右定位バランスを調整する。時間差調整においては、左右同相の白色ノイズを再生して行うため、まず、図４（ａ）に示す「Ｆｉｌｅ  Ｌｏａｄｅｒ」画面で「Ｏｐｅｎ  ｆｉｌｅ」ボタンを指定し、図５に示すファイル選択画面で「CHKCT2LR2CT2h.wav」ファイルを選択する。このファイルは、まずモノラルのノイズをセンターから再生し、その後正中線より左９０度に仮想再生することによって定位させたノイズ、さらに右９０度に仮想再生することによって定位させたノイズをそれぞれ数回再生し、最後に再度モノラルのノイズをセンターから再生する構成となっている。
【００７９】
受聴者は、左右の時間差調整を左右差調整ボタン７１Ｒ又は７１Ｌのいずれかを指定して調整し、センターのノイズ信号の定位位置、左右それぞれのノイズの定位位置を調整する。また、この調整した情報は、図６に示す詳細設定画面の時間遅延設定６１に、「Ｌ」又は「Ｒ」の遅延タップ数として表示されるため、受聴者はこれに基づき調整量を視認することができる。
【００８０】
このようにして左右時間差調整が完了した場合には、受聴者は決定ボタン７２を指定する。そうすると、時間差調整処理部１２において左右時間差に関する制御パラメータが音源部１から出力される左右の音声信号に加減され、その結果が演算結果記憶部１６に記憶されることとなる。
【００８１】
以上のようにして音圧レベル調整、帯域別音圧レベル調整及び時間差調整が完了した場合には、図７（ｃ）に示す「Ａｕｔｏ  ｍｅａｓｕｒｅｍｅｎｔ」画面において、「ＳＡＶＥ」ボタンを指定すると、ファイル保存画面が表示される。受聴者はここで、所望のファイル名を付して保存指示を入力することによって上記各設定が処理データ記憶部７に記憶されることとなる。
【図面の簡単な説明】
【００８２】
【図１】本発明の実施形態における装置の全体構成を示すブロック図である。
【図２】本発明の実施形態における処理の概要を示す概念図である。
【図３】本発明の実施形態における装置の処理を示すブロック図である。
【図４】本発明の具体的な実施例における画面例である。
【図５】本発明の具体的な実施例における画面例である。
【図６】本発明の具体的な実施例における画面例である。
【図７】本発明の具体的な実施例における画面例である。
【符号の説明】
【００８３】
１…音源部
２…補正処理部
３，３Ｒ，３Ｌ…音声出力部
４…ユーザインタフェース部
５…表示部
６…入力部
７…処理データ記憶部
１１…演算処理部
１２…時間差調整処理部
１３…音圧レベル調整処理部
１４…帯域別時間差調整処理部
１５…帯域別音圧レベル調整処理部
１６…演算結果処理部
６１…時間遅延設定
６２…音圧レベル設定
６３…帯域別音圧レベル設定
６４…イコライザー
７１，７１Ｒ，７１Ｌ…左右差調整ボタン
７２…決定ボタン
７３…帯域切換スイッチ
【図１】
2006135489.tif 000003
【図２】
2006135489.tif 000004
【図３】
2006135489.tif 000005
【図４】
2006135489.tif 000006
【図５】
2006135489.tif 000007
【図６】
2006135489.tif 000008
【図７】
2006135489.tif 000009
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
処理部がコンピュータを用いて、音源部から入力される音声信号に対して所定の処理を施すことによって、受聴者のヘッドホンの装着位置、外耳及び内耳の物理特性又は知覚特性に対応した左右再生バランスを実現する再生バランス調整方法であって、
前記処理部は、前記コンピュータを用いて、
左右再生バランス調整用の音声信号として、音声信号Ａと音声信号Ｂとを入力する処理と、
前記音声信号Ａと音声信号Ｂとに対して、受聴者の修正指示に基づいて、所定の調整を行う調整処理と、
前記調整処理の結果得られる音声信号Ａ’と音声信号Ｂ’とを出力する処理と、を実行するものであり、
前記調整処理は、前記音声信号Ａ’と前記音声信号Ｂ’とが受聴者の聴感上同一の音圧レベルであると認識されるように帯域ごとにレベル調整を行うパラメータαを、前記音声信号Ａと前記音声信号Ｂとに対して代入する処理を含むことを特徴とする再生バランス調整方法。
【請求項２】
前記音声信号Ａと音声信号Ｂとは、無相関のノイズであることを特徴とする請求項１記載の再生バランス調整方法。
【請求項３】
前記調整処理は、前記音声信号Ａ’と前記音声信号Ｂ’とが受聴者の聴感上同一の音圧レベルであると認識されるようにレベル調整を行うパラメータβを、前記音声信号Ａと前記音声信号Ｂとに対して代入する処理を含むことを特徴とする請求項１又は２に記載の再生バランス調整方法。
【請求項４】
前記調整処理は、前記音声信号Ａ’と前記音声信号Ｂ’との左右到達時間が、受聴者の聴感上同一であると認識されるように時間遅延調整を行うパラメータγを、前記音声信号Ａと前記音声信号Ｂとに対して代入する処理を含むことを特徴とする請求項１乃至３のいずれか１項に記載の再生バランス調整方法。
【請求項５】
前記調整処理は、前記音声信号Ａ’と前記音声信号Ｂ’との帯域ごとの左右到達時間が、受聴者の聴感上同一であると認識されるように、帯域ごとに時間遅延調整を行うパラメータεを、前記音声信号Ａと前記音声信号Ｂとに対して代入する処理を含むことを特徴とする請求項１乃至４のいずれか１項に記載の再生バランス調整方法。
【請求項６】
コンピュータを制御することにより、音源部から入力される音声信号に対して所定の処理を施すことによって、受聴者のヘッドホンの装着位置、外耳及び内耳の物理特性又は知覚特性に対応した左右再生バランスを実現する再生バランス調整プログラムであって、
このプログラムは、前記コンピュータに、
左右再生バランス調整用の音声信号として、音声信号Ａと音声信号Ｂとを入力させ、
前記音声信号Ａと音声信号Ｂとに対して、受聴者の修正指示に基づいて、所定の調整を行わせ、
前記調整処理の結果得られる音声信号Ａ’と音声信号Ｂ’とを出力させるものであり、
前記調整させる処理は、前記音声信号Ａ’と前記音声信号Ｂ’とが受聴者の聴感上同一の音圧レベルであると認識されるように帯域ごとにレベル調整を行うパラメータαを、前記音声信号Ａと前記音声信号Ｂとに対して代入させる処理を含むことを特徴とする再生バランス調整プログラム。
【請求項７】
前記音声信号Ａと音声信号Ｂとは、無相関のノイズであることを特徴とする請求項６記載の再生バランス調整プログラム。
【請求項８】
前記調整させる処理は、前記音声信号Ａ’と前記音声信号Ｂ’とが受聴者の聴感上同一の音圧レベルであると認識されるようにレベル調整を行うパラメータβを、前記音声信号Ａと前記音声信号Ｂとに対して代入させる処理を含むことを特徴とする請求項６又は７に記載の再生バランス調整プログラム。
【請求項９】
前記調整させる処理は、前記音声信号Ａ’と前記音声信号Ｂ’との左右到達時間が、受聴者の聴感上同一であると認識されるように時間遅延調整を行うパラメータγを、前記音声信号Ａと前記音声信号Ｂとに対して代入させる処理を含むことを特徴とする請求項６乃至８のいずれか１項に記載の再生バランス調整プログラム。
【請求項１０】
前記調整させる処理は、前記音声信号Ａ’と前記音声信号Ｂ’との帯域ごとの左右到達時間が、受聴者の聴感上同一であると認識されるように、帯域ごとに時間遅延調整を行うパラメータεを、前記音声信号Ａと前記音声信号Ｂとに対して代入させる処理を含むことを特徴とする請求項６乃至９のいずれか１項に記載の再生バランス調整プログラム。
【請求項１１】
コンピュータを用いて、音源部から入力される音声信号に対して所定の処理を施すことによって、受聴者のヘッドホンの装着位置、外耳及び内耳の物理特性又は知覚特性に対応した左右再生バランスを実現する処理部を備えた再生バランス調整装置であって、
前記処理部は、
左右再生バランス調整用の音声信号として、音声信号Ａと音声信号Ｂとを入力する手段と、
前記音声信号Ａと音声信号Ｂとに対して、受聴者の修正指示に基づいて、所定の調整を行う調整手段と、
前記調整手段の結果得られる音声信号Ａ’と音声信号Ｂ’とを出力する手段と、を備え、
前記調整手段は、前記音声信号Ａ’と前記音声信号Ｂ’とが受聴者の聴感上同一の音圧レベルであると認識されるように帯域ごとにレベル調整を行うパラメータαを、前記音声信号Ａと前記音声信号Ｂとに対して代入する手段を含むことを特徴とする再生バランス調整装置。
【請求項１２】
前記音声信号Ａと音声信号Ｂとは、無相関のノイズであることを特徴とする請求項１１記載の再生バランス調整装置。
【請求項１３】
前記調整手段は、前記音声信号Ａ’と前記音声信号Ｂ’とが受聴者の聴感上同一の音圧レベルであると認識されるようにレベル調整を行うパラメータβを、前記音声信号Ａと前記音声信号Ｂとに対して代入する手段を含むことを特徴とする請求項１１又は１２に記載の再生バランス調整装置。
【請求項１４】
前記調整手段は、前記音声信号Ａ’と前記音声信号Ｂ’との左右到達時間が、受聴者の聴感上同一であると認識されるように時間遅延調整を行うパラメータγを、前記音声信号Ａと前記音声信号Ｂとに対して代入する手段を含むことを特徴とする請求項１１乃至１３のいずれか１項に記載の再生バランス調整装置。
【請求項１５】
前記調整手段は、前記音声信号Ａ’と前記音声信号Ｂ’との帯域ごとの左右到達時間が、受聴者の聴感上同一であると認識されるように、帯域ごとに時間遅延調整を行うパラメータεを、前記音声信号Ａと前記音声信号Ｂとに対して代入する手段を含むことを特徴とする請求項１１乃至１４のいずれか１項に記載の再生バランス調整装置。
【手続補正２】
【補正対象書類名】明細書
【補正対象項目名】０００９
【補正方法】変更
【補正の内容】
【０００９】
上記の目的を達成するため、請求項１の発明は、処理部がコンピュータを用いて、音源部から入力される音声信号に対して所定の処理を施すことによって、受聴者のヘッドホンの装着位置、外耳及び内耳の物理特性又は知覚特性に対応した左右再生バランスを実現する再生バランス調整方法であって、前記処理部は、前記コンピュータを用いて、左右再生バランス調整用の音声信号として、音声信号Ａと音声信号Ｂとを入力する処理と、前記音声信号Ａと音声信号Ｂとに対して、受聴者の修正指示に基づいて、所定の調整を行う調整処理と、前記調整処理の結果得られる音声信号Ａ’と音声信号Ｂ’とを出力する処理と、を実行するものであり、前記調整処理は、前記音声信号Ａ’と前記音声信号Ｂ’とが受聴者の聴感上同一の音圧レベルであると認識されるように帯域ごとにレベル調整を行うパラメータαを、前記音声信号Ａと前記音声信号Ｂとに対して代入する処理を含むことを特徴とする。
【手続補正３】
【補正対象書類名】明細書
【補正対象項目名】００１０
【補正方法】変更
【補正の内容】
【００１０】
請求項６の発明は、請求項１の発明をコンピュータのプログラムという見方から捉えたもので、コンピュータを制御することにより、音源部から入力される音声信号に対して所定の処理を施すことによって、受聴者のヘッドホンの装着位置、外耳及び内耳の物理特性又は知覚特性に対応した左右再生バランスを実現する再生バランス調整プログラムであって、このプログラムは、前記コンピュータに、左右再生バランス調整用の音声信号として、音声信号Ａと音声信号Ｂとを入力させ、前記音声信号Ａと音声信号Ｂとに対して、受聴者の修正指示に基づいて、所定の調整を行わせ、前記調整処理の結果得られる音声信号Ａ’と音声信号Ｂ’とを出力させるものであり、前記調整させる処理は、前記音声信号Ａ’と前記音声信号Ｂ’とが受聴者の聴感上同一の音圧レベルであると認識されるように帯域ごとにレベル調整を行うパラメータαを、前記音声信号Ａと前記音声信号Ｂとに対して代入させる処理を含むことを特徴とする。
【手続補正４】
【補正対象書類名】明細書
【補正対象項目名】００１１
【補正方法】変更
【補正の内容】
【００１１】
請求項１１の発明は、請求項１又は６の発明を装置の発明として規定したもので、コンピュータを用いて、音源部から入力される音声信号に対して所定の処理を施すことによって、受聴者のヘッドホンの装着位置、外耳及び内耳の物理特性又は知覚特性に対応した左右再生バランスを実現する処理部を備えた再生バランス調整装置であって、前記処理部は、左右再生バランス調整用の音声信号として、音声信号Ａと音声信号Ｂとを入力する手段と、前記音声信号Ａと音声信号Ｂとに対して、受聴者の修正指示に基づいて、所定の調整を行う調整手段と、前記調整手段の結果得られる音声信号Ａ’と音声信号Ｂ’とを出力する手段と、を備え、前記調整手段は、前記音声信号Ａ’と前記音声信号Ｂ’とが受聴者の聴感上同一の音圧レベルであると認識されるように帯域ごとにレベル調整を行うパラメータαを、前記音声信号Ａと前記音声信号Ｂとに対して代入する手段を含むことを特徴とする。
【手続補正５】
【補正対象書類名】明細書
【補正対象項目名】００１４
【補正方法】変更
【補正の内容】
【００１４】
請求項２，７又は１２の発明は、請求項１，６又は１３の発明において、前記調整用の音声信号として左右無相関のノイズを用いることを特徴とする。
【手続補正６】
【補正対象書類名】明細書
【補正対象項目名】００１６
【補正方法】変更
【補正の内容】
【００１６】
請求項３の発明は、請求項１又は２記載の発明において、前記調整処理は、前記音声信号Ａ’と前記音声信号Ｂ’とが受聴者の聴感上同一の音圧レベルであると認識されるようにレベル調整を行うパラメータβを、前記音声信号Ａと前記音声信号Ｂとに対して代入する処理を含むことを特徴とする。
【手続補正７】
【補正対象書類名】明細書
【補正対象項目名】００１７
【補正方法】変更
【補正の内容】
【００１７】
請求項８の発明は、請求項３の発明をコンピュータのプログラムという見方から捉えたもので、請求項６又は７記載の発明において、前記調整させる処理は、前記音声信号Ａ’と前記音声信号Ｂ’とが受聴者の聴感上同一の音圧レベルであると認識されるようにレベル調整を行うパラメータβを、前記音声信号Ａと前記音声信号Ｂとに対して代入させる処理を含むことを特徴とする。
【手続補正８】
【補正対象書類名】明細書
【補正対象項目名】００１８
【補正方法】変更
【補正の内容】
【００１８】
請求項１３の発明は、請求項３及び８の発明を装置の発明として規定したもので、請求項１１又は１２記載の発明において、前記調整手段は、前記音声信号Ａ’と前記音声信号Ｂ’とが受聴者の聴感上同一の音圧レベルであると認識されるようにレベル調整を行うパラメータβを、前記音声信号Ａと前記音声信号Ｂとに対して代入する手段を含むことを特徴とする。
【手続補正９】
【補正対象書類名】明細書
【補正対象項目名】００１９
【補正方法】変更
【補正の内容】
【００１９】
これらの態様では、受聴者がヘッドフォンを装着した状態において、上記の周波数ごとの音圧レベルの調整に加えて、全体として音圧レベルの調整をすることができる。したがって、例えば、受聴者の外耳あるいは内耳の左右形状の差異によって、左右の信号レベルに差異が生じる場合があるが、このような場合には右あるいは左側に音像が偏って定位する。そこで、左右の信号レベルに強弱を施し、受聴者の真ん中に音像が定位する位置に信号が受聴できるよう信号レベルを調整し、受聴者が知覚する左右の音圧レベル量を同定する。これにより、受聴者個々人のヘッドホンの装着位置あるいは受聴者の外耳又は内耳の物理特性や受聴者の知覚特性に合わせた最適な伝達特性を実現し、左右再生バランスのとれた音声再生環境を提供することができるようになる。
【手続補正１０】
【補正対象書類名】明細書
【補正対象項目名】００２０
【補正方法】変更
【補正の内容】
【００２０】
請求項４の発明は、請求項１乃至３のいずれか１項に記載の発明において、前記調整処理は、前記音声信号Ａ’と前記音声信号Ｂ’との左右到達時間が、受聴者の聴感上同一であると認識されるように時間遅延調整を行うパラメータγを、前記音声信号Ａと前記音声信号Ｂとに対して代入する処理を含むことを特徴とする。
【手続補正１１】
【補正対象書類名】明細書
【補正対象項目名】００２１
【補正方法】変更
【補正の内容】
【００２１】
請求項９の発明は、請求項４の発明をコンピュータのプログラムという見方から捉えたもので、請求項６乃至８のいずれか１項に記載の発明において、前記調整させる処理は、前記音声信号Ａ’と前記音声信号Ｂ’との左右到達時間が、受聴者の聴感上同一であると認識されるように時間遅延調整を行うパラメータγを、前記音声信号Ａと前記音声信号Ｂとに対して代入させる処理を含むことを特徴とする。
【手続補正１２】
【補正対象書類名】明細書
【補正対象項目名】００２２
【補正方法】変更
【補正の内容】
【００２２】
請求項１４の発明は、請求項１又は９の発明を装置として規定したものであり、請求項１１乃至１３のいずれか１項に記載の発明前記調整手段は、前記音声信号Ａ’と前記音声信号Ｂ’との左右到達時間が、受聴者の聴感上同一であると認識されるように時間遅延調整を行うパラメータγを、前記音声信号Ａと前記音声信号Ｂとに対して代入する手段を含むことを特徴とする。
【手続補正１３】
【補正対象書類名】明細書
【補正対象項目名】００２３
【補正方法】変更
【補正の内容】
【００２３】
これらの態様では、受聴者がヘッドフォンを装着した状態において、左右時間差を調整することができる。したがって、例えば、受聴者がヘッドフォンを装着した状態において、音源からの左右音声信号を再生すると、左右バランスが同一であれば、受聴者の真ん中に音像が定位するが、左右のバランスが同一でなければ、右あるいは左側に音像が偏って定位することとなる。そこで、これを調整することによって、さらに受聴者個々人のヘッドホンの装着位置あるいは受聴者の外耳又は内耳の物理特性や受聴者の知覚特性に合わせた最適な伝達特性を実現し、左右再生バランスのとれた音声再生環境を提供することができる。
【手続補正１４】
【補正対象書類名】明細書
【補正対象項目名】００２４
【補正方法】変更
【補正の内容】
【００２４】
請求項５の発明は、請求項１乃至４のいずれか１項に記載の発明において、前記調整処理は、前記音声信号Ａ’と前記音声信号Ｂ’との帯域ごとの左右到達時間が、受聴者の聴感上同一であると認識されるように、帯域ごとに時間遅延調整を行うパラメータεを、前記音声信号Ａと前記音声信号Ｂとに対して代入する処理を含むことを特徴とする。
【手続補正１５】
【補正対象書類名】明細書
【補正対象項目名】００２５
【補正方法】変更
【補正の内容】
【００２５】
請求項１０の発明は、請求項５の発明をコンピュータのプログラムという見方から捉えたもので、請求項６乃至９のいずれか１項に記載の発明において、前記調整させる処理は、前記音声信号Ａ’と前記音声信号Ｂ’との帯域ごとの左右到達時間が、受聴者の聴感上同一であると認識されるように、帯域ごとに時間遅延調整を行うパラメータεを、前記音声信号Ａと前記音声信号Ｂとに対して代入させる処理を含むことを特徴とする。
【手続補正１６】
【補正対象書類名】明細書
【補正対象項目名】００２６
【補正方法】変更
【補正の内容】
【００２６】
請求項１５の発明は、請求項５又は１０の発明を装置として規定したものであり、請求項１１乃至１４のいずれか１項に記載の発明において、前記調整手段は、前記音声信号Ａ’と前記音声信号Ｂ’との帯域ごとの左右到達時間が、受聴者の聴感上同一であると認識されるように、帯域ごとに時間遅延調整を行うパラメータεを、前記音声信号Ａと前記音声信号Ｂとに対して代入する手段を含むことを特徴とする。
【手続補正１７】
【補正対象書類名】明細書
【補正対象項目名】００２７
【補正方法】変更
【補正の内容】
【００２７】
これらの態様では、音声信号を周波数帯域に分割し、それぞれの帯域における受聴者の左右の外耳又は内耳の物理特性や知覚特性を把握した上で、時間遅延量を設定することが可能である。
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】